(57)【要約】  クリーブ加工された縁部から後退した接合部を有する太陽電池を製造する方法、および結果として得られる太陽電池が説明される。一例では、太陽電池は、受光面、背面、および側壁を有する基板を含む。エミッタ領域は、基板内において、基板の受光面にある。エミッタ領域は、基板の側壁から横方向に後退した側壁を有する。パッシベーション層は、エミッタ領域の側壁にある。
2021520056.tif 000002
【特許請求の範囲】
【請求項１】
太陽電池であって、
受光面、背面、および側壁を有する基板と、
前記基板内において、前記基板の前記受光面にあるエミッタ領域であって、前記基板の前記側壁から横方向に後退した側壁を有するエミッタ領域と、
前記エミッタ領域の前記側壁上のパッシベーション層とを備える、太陽電池。
【請求項２】
前記パッシベーション層が、前記エミッタ領域の対応する側壁と前記基板の対応する側壁との間の対応する凹部内にある、請求項１に記載の太陽電池。
【請求項３】
前記パッシベーション層の対応する縁部が、前記基板の前記対応する側壁と垂直に位置合わせされている、請求項２に記載の太陽電池。
【請求項４】
前記パッシベーション層が、前記エミッタ領域の対応する側壁と前記基板の対応する側壁との間の対応する分離領域内にある、請求項１に記載の太陽電池。
【請求項５】
更に、
前記基板の前記受光面上のパッシベーション層を備え、前記エミッタ領域の前記側壁上の前記パッシベーション層が、前記基板の前記受光面上の前記パッシベーション層と連続している、請求項１に記載の太陽電池。
【請求項６】
前記基板の前記受光面上の前記パッシベーション層および前記エミッタ領域の前記側壁上の前記パッシベーション層が、酸化ケイ素（ＳｉＯｘ）および窒化ケイ素（ＳｉＮｘ）を含む、請求項５に記載の太陽電池。
【請求項７】
前記エミッタ領域が、所定濃度の導電型のドーパントを含み、前記太陽電池が、更に、
前記エミッタ領域内の前記導電型のドーパントの領域を備え、前記導電型のドーパントの前記領域が、前記エミッタ領域の前記導電型のドーパントの濃度よりも高い前記導電型のドーパントの濃度を有する、請求項１に記載の太陽電池。
【請求項８】
前記導電型がｎ型であり、前記ドーパントがリンドーパントおよびヒ素ドーパントからなる群から選択される、請求項７に記載の太陽電池。
【請求項９】
更に、
前記エミッタ領域内の前記導電型のドーパントの前記領域に電気的に接続された導電性コンタクトを備える、請求項７に記載の太陽電池。
【請求項１０】
前記導電性コンタクトが、前記基板の前記受光面上のパッシベーション層を通してスクリーン印刷および焼成される、請求項９に記載の太陽電池。
【請求項１１】
前記導電性コンタクトが銀を含む、請求項９に記載の太陽電池。
【請求項１２】
前記基板が、ｐ型単結晶シリコン基板である、請求項１に記載の太陽電池。
【請求項１３】
前記エミッタ領域がｎ型ドーパントを含み、前記太陽電池が、更に、
前記基板の前記背面にｐ型ドーパントの領域を備える、請求項１に記載の太陽電池。
【請求項１４】
更に、
前記基板の前記背面において前記ｐ型ドーパントの領域に電気的に接続された導電性コンタクトを備える、請求項１３に記載の太陽電池。
【請求項１５】
前記導電性コンタクトが、前記基板の前記背面上の下部パッシベーションおよびキャッピング層の開口を介して配置されている、請求項１４に記載の太陽電池。
【請求項１６】
太陽電池を製造する方法であって、
基板の受光面において、前記基板にエミッタ領域を形成することと、
前記エミッタ領域に溝を形成することと、
前記基板の前記受光面上および前記溝内にパッシベーション層を形成して、エミッタ縁部をパッシベーションすることと、
前記基板をクリーブ加工して、太陽電池を形成することであって、前記太陽電池が、側壁と、前記太陽電池の側壁から横方向に後退した側壁を有するエミッタ領域とを有する、前記基板をクリーブ加工することとを含む、方法。
【請求項１７】
前記基板をクリーブ加工することが、前記溝内の前記パッシベーション層を通してクリーブ加工することを含む、請求項１６に記載の方法。
【請求項１８】
前記基板をクリーブ加工することが、前記溝に横方向に隣接する前記エミッタ領域の一部を通してクリーブ加工することを含む、請求項１６に記載の方法。
【請求項１９】
レーザアブレーションを使用して前記溝が形成される、請求項１６に記載の方法。
【請求項２０】
スクリーン印刷またはインクジェットによって送達されるエッチングペーストを使用して前記溝が形成される、請求項１６に記載の方法。
【発明の詳細な説明】
【技術分野】
【０００１】
関連出願の相互参照
本出願は、２０１８年４月１６日に提出された米国仮出願第６２／６５８，４４３号の先の出願日の優先権および利益を主張し、その全内容は、その全体を参照することにより本明細書に組み込まれる。
【０００２】
本開示の実施形態は、再生可能エネルギーの分野であり、特に、クリーブ加工された縁部から後退した接合部を有する太陽電池を製造する方法、および得られる太陽電池である。
【背景技術】
【０００３】
光起電力電池は、太陽電池として一般に知られており、太陽放射を電気エネルギーに直接変換するための周知の装置である。一般に、太陽電池は、半導体処理技術を使用して半導体ウェハ上または基板上に作製され、基板の表面近くにｐ−ｎ接合が形成される。太陽放射が基板の表面に衝突して基板内に入ると、基板のバルク内に電子正孔対が生成される。電子正孔対が基板内のｐドープおよびｎドープ領域まで移動する結果、ドープ領域間に電圧差が発生する。ドープ領域は、太陽電池の導電性領域に接続され、電流を太陽電池からそれと連結された外部回路へと方向付ける。
【０００４】
電気変換効率は、太陽電池の発電能力に直接関係するため、太陽電池の重要な特性であり、より高い効率は最終顧客に付加価値を提供し、他の全ての条件が同じであれば、より高い効率はまた、ワットあたりの製造コストも削減する。同様に、単純化された製造手法は、生産されるユニットあたりのコストを削減することにより、製造コストを削減する機会を提供する。したがって、太陽電池の効率を高める技術および太陽電池の製造を単純化する技術が、一般的に望ましい。本開示のいくつかの実施形態は、太陽電池構造体を製造するための新規なプロセスを提供することにより、より高い太陽電池の変換効率および／またはより低い製造コストを可能にする。本開示のいくつかの実施形態は、新規な太陽電池構造体を提供することにより、より高い太陽電池の効率および／またはより低い製造コストを可能にする。
【図面の簡単な説明】
【０００５】
【図１】保護されていない縁部を有するエミッタ領域を有する太陽電池の断面図を示している。
【０００６】
【図２Ａ】本開示の実施形態にかかる、後退して保護された縁部を有するエミッタ領域を有する太陽電池の断面図を示している。
【０００７】
【図２Ｂ】本開示の他の実施形態にかかる、後退して保護された縁部を有するエミッタ領域を有する太陽電池の断面図を示している。
【０００８】
【図２Ｃ】本開示の他の実施形態にかかる、後退して保護された縁部を有するエミッタ領域を有する太陽電池の断面図を示している。
【０００９】
【図３】本開示の実施形態にかかる、後退して保護された縁部を有するエミッタ領域を有する太陽電池の形成の平面図を示している。
【００１０】
【図４】本開示の実施形態にかかる、隣接する太陽電池の端部が重なり合って瓦状スーパーセルを形成する、瓦状に配置された直列接続された太陽電池のストリングの断面図を示している。
【００１１】
【図５】本開示の他の実施形態にかかる、瓦状のスーパーセルを形成するために使用することができる例示的な矩形太陽電池の前（太陽側）面および前面メタライゼーションパターンの図である。
【００１２】
【図６Ａ】本開示の他の実施形態にかかる、標準的なサイズおよび形状の擬似正方形シリコン太陽電池が、瓦状のスーパーセルを形成するために使用することができる２つの異なる長さの矩形太陽電池に分離（例えば、切断または破壊）されることができる例示的な方法を示す図である。
【００１３】
【図６Ｂ】本開示の実施形態にかかる、擬似正方形シリコン太陽電池が矩形太陽電池に分離されることができる他の例示的な方法を示す図を示している。
【図６Ｃ】本開示の実施形態にかかる、擬似正方形シリコン太陽電池が矩形太陽電池に分離されることができる他の例示的な方法を示す図を示している。
【００１４】
【図６Ｄ】本開示の実施形態にかかる、正方形シリコン太陽電池が矩形太陽電池に分離されることができる例示的な方法を示す図を示している。
【図６Ｅ】本開示の実施形態にかかる、正方形シリコン太陽電池が矩形太陽電池に分離されることができる例示的な方法を示す図を示している。
【００１５】
【図７】本開示の実施形態にかかる、図４に示すように瓦状に配置された、例えば図５に示すような矩形太陽電池を含む例示的な矩形スーパーセルの前面の部分図を示している。
【００１６】
【図８Ａ】各スーパーセルの長辺がモジュールの短辺の長さの約半分の長さを有する、複数の矩形の瓦状スーパーセルを含む例示的な矩形太陽電池モジュールの図を示している。本開示の実施形態によれば、スーパーセルの対は、端同士をつないで配置されてスーパーセルの長辺がモジュールの短辺に平行な列を形成する。
【００１７】
【図８Ｂ】各スーパーセルの長辺がモジュールの短辺の長さとほぼ同じ長さを有する、複数の矩形の瓦状スーパーセルを含む他の例示的な矩形太陽電池モジュールの図を示している。本開示の実施形態によれば、スーパーセルは、それらの長辺がモジュールの短辺に平行になるように配置される。
【００１８】
【図８Ｃ】各スーパーセルの長辺がモジュールの長辺の長さとほぼ同じ長さを有する、複数の矩形の瓦状スーパーセルを含む他の例示的な矩形太陽電池モジュールの図を示している。本開示の実施形態によれば、スーパーセルは、それらの長辺がモジュールの辺に平行になるように配置される。
【００１９】
【図８Ｄ】各スーパーセルの長辺がモジュールの長辺の長さの約半分の長さを有する、複数の矩形の瓦状スーパーセルを含む例示的な矩形太陽電池モジュールの図を示している。本開示の実施形態によれば、スーパーセルの対は、端同士をつないで配置されてスーパーセルの長辺がモジュールの長辺に平行な列を形成する。
【００２０】
【図８Ｅ】本開示の実施形態にかかる、ハーフカットセルを含む太陽電池モジュールの平面図を示している。
【００２１】
【図８Ｆ】本開示の実施形態にかかる、図８Ｅの太陽電池モジュールの一部の拡大図を示している。
【００２２】
【図８Ｇ】本開示の実施形態にかかる、矩形ストリップ配置を有する垂直瓦状レイアップを含む太陽電池モジュールの平面図を示している。
【００２３】
【図８Ｈ】本開示の実施形態にかかる、瓦状の面取りされたセル配置を有する垂直レイアップを含む太陽電池モジュールの平面図を示している。
【００２４】
【図８Ｉ】本開示の実施形態にかかる、瓦状セルおよび中心線配置を有する垂直レイアップを含む太陽電池モジュールの平面図を示している。
【００２５】
【図９】各列内のスーパーセルを互いに直列に配置し且つ列を互いに並列に配置するように可撓性電気相互接続によって相互接続された３列のスーパーセルの例示的な配置を示している。これらは、例えば、本開示の実施形態にかかる、図８Ｄの太陽電池モジュールの３つの列とすることができる。
【００２６】
【図１０Ａ】図８Ｄの詳細Ａを示しており、本開示の実施形態にかかる、スーパーセルの列の背面端子コンタクトに結合された可撓性電気相互接続の断面詳細を示す図８Ｄの例示的な太陽電池モジュールの断面図である。
【００２７】
【図１０Ｂ】図８Ｄの詳細Ｃを示しており、本開示の実施形態にかかる、スーパーセルの列の前（太陽側）面端子コンタクトに結合された可撓性電気相互接続の断面詳細を示す図８Ｄの例示的な太陽電池モジュールの断面図である。
【００２８】
【図１０Ｃ】図８Ｄの詳細Ｂを示しており、本開示の実施形態にかかる、２つのスーパーセルを直列に相互接続するように配置された可撓性相互接続部の断面詳細を示す図８Ｄの例示的な太陽電池モジュールの断面図である。
【００２９】
【図１１】本開示の実施形態にかかる、瓦状構成で組み立てられた複数のモジュールを含むアレイの簡略化された断面図を示している。
【図１２】本開示の実施形態にかかる、瓦状構成で組み立てられた複数のモジュールを含むアレイの簡略化された断面図を示している。
【００３０】
【図１３】本発明の実施形態にかかる、太陽電池の製造方法における様々な動作を表すフローチャートである。
【発明を実施するための形態】
【００３１】
以下の詳細な説明は、本質的に単に例示的であり、主題の実施形態またはこのような実施形態の適用および使用を限定することは意図されていない。本明細書で使用するとき、「例示的（ｅｘｅｍｐｌａｒｙ）」という語は、「実施例、実例、または例示としての役割を果たすこと」を意味する。本明細書で例示的として説明される実施形態はいずれも、必ずしも他の実施形態よりも好ましいかまたは有利なものとして解釈されるべきではない。更には、前述の「技術分野」、「背景技術」、「発明の概要」、または以下の「発明を実施するための形態」で提示される、明示または暗示されるいずれの理論によっても、束縛されることを意図するものではない。
【００３２】
本明細書は、「一実施形態（ｏｎｅ  ｅｍｂｏｄｉｍｅｎｔ）」または「実施形態（ａｎ  ｅｍｂｏｄｉｍｅｎｔ）」への言及を含む。「一実施形態では（ｉｎ  ｏｎｅ  ｅｍｂｏｄｉｍｅｎｔ）」または「実施形態では（ｉｎ  ａｎ  ｅｍｂｏｄｉｍｅｎｔ）」という語句の出現は、必ずしも、同じ実施形態を指すものではない。特定の機能、構造、または特性を、本開示と矛盾しない任意の好適な方式で組み合わせることができる。
【００３３】
用語。  以下のパラグラフは、本開示（添付の「特許請求の範囲」を含む）で見出される用語に関する、定義および／またはコンテキストを提供する。
【００３４】
本明細書で使用するとき、「領域（ｒｅｇｉｏｎｓ）」または「部分（ｐｏｒｔｉｏｎｓ）」は、定義可能な特性を有するが必ずしも固定された境界ではない、物体または材料の別個の領域、容積、分割または位置を説明するために使用することができる。
【００３５】
「備える（Ｃｏｍｐｒｉｓｉｎｇ）」。この用語は、オープンエンド型である。添付の「特許請求の範囲」で使用されるとき、この用語は、付加的な構造または段階を排除するものではない。
【００３６】
「ように構成された（Ｃｏｎｆｉｇｕｒｅｄ  Ｔｏ）」。様々なユニットまたは構成要素が、タスクを実行する「ように構成された」として記述または請求されることができる。そのようなコンテキストでは、「ように構成された」は、それらのユニット／構成要素が、動作中にそれらのタスクを実行する構造を含むことを示すことによって、その構造を含意するために使用される。それゆえ、ユニット／構成要素は、指定のユニット／構成要素が現時点で動作可能ではない（例えば、オン／アクティブではない）場合であっても、そのタスクを実行するように構成されていると言うことができる。ユニット／回路／構成要素が、１つ以上のタスクを実行する「ように構成された」と記載することは、そのユニット／構成要素に関して、米国特許法第１１２条第６項が適用されないことを、明示的に意図するものである。
【００３７】
「第１の（Ｆｉｒｓｔ）」、「第２の（Ｓｅｃｏｎｄ）」など。本明細書で使用するとき、これらの用語は、それらが前に置かれる名詞に関する指標として使用されるものであり、いずれのタイプの（例えば、空間的、時間的、論理的などの）順序付けも暗示するものではない。例えば、「第１の」太陽電池への言及は、必ずしもこの太陽電池が順序として最初の太陽電池を意味するものではなく、「第１の」という用語は、この太陽電池を他の太陽電池（例えば「第２の」太陽電池）と区別するために使われている。
【００３８】
「結合された（Ｃｏｕｐｌｅｄ）」。以下の説明は、要素またはノードまたは機能が一体に「結合された」ことについて言及する。本明細書で使用するとき、明示的に別段の定めがある場合を除き、「結合された」とは、１つの要素／ノード／機能が、他の要素／ノード／機能に、直接的または間接的に連結される（または、それと直接的もしくは間接的に連通する）ことを意味するものであり、これは、必ずしも機械的なものではない。
【００３９】
更には、特定の用語法はまた、以下の説明において参照目的のためにのみ使用することができ、それゆえ、限定的であることを意図されていない。例えば、「上部（ｕｐｐｅｒ）」、「下部（ｌｏｗｅｒ）」、「上方（ａｂｏｖｅ）」、および「下方（ｂｅｌｏｗ）」などの用語は、参照された図面内での方向を指す。「前部（ｆｒｏｎｔ）」、「後方（ｂａｃｋ）」、「後部（ｒｅａｒ）」、「側部（ｓｉｄｅ）」、「外側（ｏｕｔｂｏａｒｄ）」、および「内側（ｉｎｂｏａｒｄ）」などの用語は、説明中の構成要素について記述する本文および関連図面の参照によって明らかにされる、一貫性はあるが任意の基準系内における、構成要素の諸部分の向きおよび／または位置を記述するものである。そのような用語法は、具体的に上述された語、それらの派生語、および類似の意味の語を含むことができる。
【００４０】
「抑制する（Ｉｎｈｉｂｉｔ）」。本明細書で使用するとき、抑制するとは、効果を低減または最小化することを説明するために使用される。構成要素または機能が、作用、動作、もしくは条件を抑制するものとして説明される場合、それは、完全に、その結果または成果または将来の状態を完全に阻止することができる。更に、「抑制する」はまた、さもなければ生じ得るであろう成果、性能、および／または効果を低減または減少させることに言及することができる。したがって、構成要素、要素、または機能が、結果または状態を抑制するとして言及される場合、これらの構成要素、要素、または機能は、その結果もしくは状態を完全に阻止または排除する必要はない。
【００４１】
本明細書では、クリーブ加工された縁部から後退した接合部を有する太陽電池の製造方法、および結果として得られる太陽電池について説明する。以下の説明では、本開示の実施形態の完全な理解を提供するために、特定のプロセスフローの動作などの多数の具体的詳細が記載される。これらの具体的な詳細なしに、本開示の実施形態を実践することができる点が、当業者には明らかとなるであろう。他の場合には、本開示の実施形態を不必要に不明瞭にしないために、リソグラフィおよびパターニング技術などの、周知の製造技術は詳細に説明されない。更には、図に示される様々な実施形態は、例示的な表現であって、必ずしも原寸に比例して描写されるものではないことを理解されたい。
【００４２】
太陽電池が本明細書に開示されている。実施形態では、太陽電池は、受光面、背面、および側壁を有する基板を含む。エミッタ領域は、基板内において、基板の受光面にある。エミッタ領域は、基板の側壁から横方向に後退した側壁を有する。パッシベーション層は、エミッタ領域の側壁上にある。
【００４３】
また、太陽電池を製造する方法も本明細書に開示される。一実施形態では、太陽電池を製造する方法は、基板の受光面において、基板内にエミッタ領域を形成することを含む。エミッタ領域に分離領域または溝が形成される。基板の受光面上および溝内にパッシベーション層が形成される。基板は、側壁と、太陽電池の側壁から横方向に後退した側壁を有するエミッタ領域とを有する太陽電池を形成するようにクリーブ加工される。
【００４４】
本明細書に記載の１つ以上の実施形態は、太陽電池接合部をクリーブ加工縁部から分離するための低コストの産業用解決策を対象とする。実施形態は、瓦状セルを製造するために実装されることができる。本明細書に記載の手法は、ハーフカットセルモジュールなどのモジュールアセンブリ用にセルをより小さなセルにダイシングして破壊する前面接触太陽電池製造または背面接触太陽電池製造に実装されることができる。
【００４５】
コンテキストを提供するために、セル（Ｐ型セルなど）をクリーブ加工した後、クリーブ加工されたセルを一体に瓦状にしてストリングを形成することによって、太陽電池ストリングを製造することができる。このプロセスでは、非パッシベーションクリーブ加工縁部および露出接合部を形成することができる。そのような非パッシベーションクリーブ加工縁部および／または露出接合部は、２〜３％の初期電力損失をもたらし、低照度性能が低くなる可能性がある。
【００４６】
本開示の１つ以上の実施形態によれば、クリーブ加工された剥き出しのシリコン縁部から前部接合縁部を分離するパッシベーションされた分離領域または溝を形成するための産業的に実行可能な手法が説明される。その後、窒化ケイ素のシリコン熱酸化プラズマ強化化学蒸着を実施して、溝および接合縁部をパッシベーションすることができる。実施形態では、露出接合部の漏れ電流が大幅に低減され、効率および低照度性能の改善をもたらす。
【００４７】
さらなるコンテキストを提供するために、瓦状にするプロセスは、同じセルを使用する高効率モジュールプロセスと比較して、約１０％の相対的効率改善の可能性を示すことができる。しかしながら、実際には、そのような瓦状セルは、約６〜７％の相対的効率しか向上しないことがあり、これは、クリーブ加工した縁部からの電力損失によるものと理解される。クリーブ加工した縁部に関して、（１）露出接合部、および（２）若干のレーザ損傷を伴う可能性がある剥き出しの非パッシベーションシリコン縁部の２つの主要な問題が存在する可能性があることを理解されたい。理論に拘束されるものではないが、露出接合部は、損失の約３分の２を占め、第２の問題は、損失の約３分の１を占めることが理解される。本明細書に記載の実施形態は、主に低照度性能にとって決定的であり得る問題（１）に対処するものと見なすことができる。
【００４８】
例示的なコンテキストを提供するために、図１は、保護されていない縁部を有するエミッタ領域を有する太陽電池の断面図を示している。
【００４９】
図１を参照すると、太陽電池１００は、受光面、背面、および側壁を有するｐ型基板１０２を含む。低濃度エミッタ領域１１６は、基板１０２内において、基板１０２の受光面にある。エミッタ領域１１６は、基板１０２の側壁と位置合わせした（または同一平面にある）側壁を有する。パッシベーション層１１８は、基板の受光面上にある。
【００５０】
再び図１を参照すると、導電性コンタクト１２０は、エミッタ領域１１６内のｎ型導電性の重ドーパントの領域１０６に電気的に接続されている。上記のケースは、選択的エミッタ手法である。均質エミッタの場合、１１６および１０６の双方が同じドーピングを有する。導電性コンタクト１２０は、炉内でパッシベーション層１１８を通してＡｇペーストのスクリーン印刷および焼成して電気コンタクトを形成することによって形成される。太陽電池１００は、更に、基板１０２の背面にｐ型ドーパントの領域１０４を含む。導電性コンタクト１１０は、例えば、ＡｌＯｘ／ＳｉＮｙなどの下部パッシベーションおよびキャッピング層１０８の開口を介して、基板１０２の背面のｐ型ドーパントの領域１０４に電気的に接続される。領域１１０は、スクリーン印刷されたＡｌペーストであり、ペーストは、領域１０２のシリコンと反応してｐ型ドーピング領域１０４を形成する。
【００５１】
再び図１を参照すると、太陽電池１００の側壁は、レーザ切断縁部１１２、非パッシベーション縁部１１４、および露出接合部１２２のうちの１つ以上を含むことができる。本開示の実施形態は、露出接合部１２２に関連する問題を解決するために実装されることができる。実装は、セル効率および低照度性能の改善を含むことができ、比較的低コストであり得る。
【００５２】
瓦状太陽電池のストリング化は、選択的エミッタ処理を含むことができることを理解されたい。本明細書に記載の実施形態は、リンケイ酸塩ガラス（ＰＳＧ）層でのドーピングによる選択的エミッタ製造に使用されるのと同じ操作で、ＰＳＧ層などの固体ドーピング層を開くための追加のプロセス操作を導入することができる。固体ドーピング層を開くと、レーザアブレーション、またはエッチングペーストパターニング操作のスクリーン印刷もしくはインクジェットを使用することにより、形成されたエミッタ領域の一部を除去することができる。そして、エミッタ領域の除去された部分は、パッシベーション層の形成などによって、後続のプロセス操作でパッシベーションされることができる。パッシベーション層は、これらに限定されるものではないが、ＳｉＯｘ、ＳｉＮｘ、ＴｉＯｘ、それらの組み合わせ、単層反射防止コーティング（ＡＲＣ）、または多層ＡＲＣなどのパッシベーション材料または絶縁材料とすることができる。瓦を形成するための後続のレーザダイシングおよびクリーブ加工プロセス中に、実行されるクリーブ加工は、溝画定領域内またはそれに近接する必要がある。一実施形態では、完全な分離領域または完全な溝手法が使用される。他の実施形態では、部分分離領域または部分溝手法が使用される。
【００５３】
パッシベーションされた接合部を有する太陽電池の例として、図２Ａは、本開示の実施形態にかかる、後退して保護された縁部を有するエミッタ領域を有する太陽電池の断面図を示している。
【００５４】
図２Ａの部分（Ａ）を参照すると、太陽電池２００Ａは、受光面、背面、および側壁を有する基板２０２Ａを含む。エミッタ領域２１６Ａは、基板２０２Ａ内において、基板２０２Ａの受光面にある。エミッタ領域２１６Ａは、基板２０２Ａの側壁から横方向に後退した側壁を有する。パッシベーション層２２４Ａ／２２６Ａは、エミッタ領域２１６Ａの側壁上にある。一実施形態によれば、パッシベーション層２２４Ａ／２２６Ａは、図示のように、エミッタ領域２１６Ａの対応する側壁と基板２０２Ａの対応する側壁との間の対応する凹部内にある。そのような一実施形態では、図示のように、パッシベーション層２２４Ａ／２２６Ａの対応する縁部は、基板２０２Ａの対応する側壁と垂直に位置合わせされる。
【００５５】
図２Ａの部分（Ｂ）を参照すると、太陽電池２５０Ａは、受光面、背面、および側壁を有する基板２５２Ａを含む。エミッタ領域２６６Ａは、基板２５２Ａ内において、基板２５２Ａの受光面にある。エミッタ領域２６６Ａは、基板２５２Ａの側壁から横方向に後退した側壁を有する。パッシベーション層２７４Ａ／２７６Ａは、エミッタ領域２６６Ａの側壁上にある。一実施形態によれば、パッシベーション層２７４Ａ／２７６Ａは、図示のように、エミッタ領域２６６Ａの対応する側壁と基板２５２Ａの対応する側壁との間の対応する溝内にある。そのような一実施形態では、分離されたエミッタ領域部分２７５Ａ／２７７Ａは、図示のように、太陽電池２５０Ａの外周においてパッシベーション層２７４Ａ／２７６Ａに横方向に隣接したままである。
【００５６】
図２Ａの部分（Ａ）および（Ｂ）の双方を参照すると、パッシベーション層２１８Ａまたは２６８Ａは、それぞれ、基板２０２Ａまたは２５２Ａの受光面上にある。エミッタ領域２１６Ａまたは２６６Ａの側壁上のパッシベーション層２２４Ａ／２２６Ａまたは２７４Ａ／２７６Ａは、それぞれ、基板２０２Ａまたは２５２Ａの受光面上のそれぞれのパッシベーション層２１８Ａまたは２６８Ａと連続している。一実施形態では、パッシベーション層２１６Ａ／２２４Ａ／２２６Ａまたは２６６Ａ／２７４Ａ／２７６Ａは、酸化ケイ素（ＳｉＯｘ）もしくは窒化ケイ素（ＳｉＮｘ）、または酸化ケイ素（ＳｉＯｘ）の層と窒化ケイ素（ＳｉＮｘ）の層との組み合わせを含む。
【００５７】
再び図２Ａの部分（Ａ）および（Ｂ）の双方を参照すると、実施形態では、エミッタ領域２１６Ａまたは２６６Ａは、ある濃度の導電型のドーパントを含み、太陽電池は、更に、それぞれ、エミッタ領域２１６Ａまたは２６６Ａ内に導電型のドーパントの領域２０６Ａまたは２５６Ａを含む。一実施形態では、導電型のドーパントの領域２０６Ａまたは２５６Ａは、それぞれ、エミッタ領域２１６Ａまたは２６６Ａの導電型のドーパントの濃度よりも高い導電型のドーパントの濃度を有する。実施形態では、導電型はｎ型であり、ドーパントは、リンドーパントおよびヒ素ドーパントからなる群から選択される。
【００５８】
再び図２Ａの部分（Ａ）および（Ｂ）の双方を参照すると、導電性コンタクト２２０Ａまたは２７０Ａは、それぞれ、エミッタ領域２１６Ａまたは２６６Ａ内の導電型のドーパントの領域２０６Ａまたは２５６Ａにそれぞれ電気的に接続されている。そのような一実施形態では、導電性コンタクト２２０Ａまたは２７０Ａは、それぞれ、図示のように、それぞれ、基板２０２Ａまたは２５２Ａの受光面上のパッシベーション層２１８Ａまたは２６８Ａを通したＡｇペーストのスクリーン印刷および焼成によって形成される。
【００５９】
実施形態では、導電性コンタクト２２０Ａまたは２７０Ａは銀を含む。そのような一実施形態では、導電性コンタクト２２０Ａまたは２７０Ａは、銀ベースの導電性ペーストなどの導電性ペーストを使用して形成される。特定のそのような実施形態では、導電性ペーストは、銀（Ａｇ）粉末および溶媒または樹脂を含む。一実施形態では、導電性ペーストは、更に、ガラスフリットを含む。他の実施形態では、導電性ペーストは、ガラスフリットを含まない。いずれの場合でも、実施形態では、銀ペーストは、それぞれ、パッシベーション層２１８Ａまたは２６８Ａ上に焼成または焼結され、導電性コンタクト２２０Ａまたは２７０Ａをそれぞれ形成することができる。
【００６０】
再び図２Ａの部分（Ａ）および（Ｂ）の双方を参照すると、実施形態では、基板２０２Ａまたは２５２Ａは、ｐ型単結晶シリコン基板である。一実施形態では、基板２０２Ａまたは２５２Ａの受光面はテクスチャ化されて、テクスチャ化された受光面を提供する。特定の実施形態では、基板２０２Ａまたは２５２Ａの受光面をテクスチャ化するために水酸化物ベースのウェットエッチング液が使用される。
【００６１】
再び図２Ａの部分（Ａ）および（Ｂ）の双方を参照すると、実施形態では、エミッタ領域２１６Ａまたは２６６Ａは、ｎ型ドーパントを含み、太陽電池２００Ａまたは２５０Ａは、それぞれ、更に、基板２０２Ａまたは２５２Ａのそれぞれの背面に、より高濃度のｐ型ドーパントの領域２０４Ａまたは２５４Ａを含む。一実施形態では、ｐ型ドーパントは、次世代のペーストからのアルミニウムドーパントまたはホウ素ドーパントである。
【００６２】
再び図２Ａの部分（Ａ）および（Ｂ）の双方を参照すると、導電性コンタクト２１０Ａまたは２６０Ａは、それぞれ、基板２０２Ａまたは２５２Ａの背面のｐ型ドーパントの領域２０４Ａまたは２５４Ａにそれぞれ電気的に接続されている。一実施形態では、導電性コンタクト２１０Ａまたは２６０Ａは、スクリーン印刷されて焼成されたＡｌであるが、そのように限定されなくてもよい。導電性コンタクト２１０Ａまたは２６０Ａは、それぞれ、基板２０２Ａまたは２５２Ａの背面上のそれぞれの下部パッシベーションおよびキャッピング層２０８Ａまたは２５８Ａの開口を通してスクリーン印刷および焼成されたＡｌペーストによって形成される。一実施形態では、下部パッシベーションおよびキャッピング層２０８Ａまたは２５８Ａは、窒化ケイ素層またはアモルファスシリコン層である。
【００６３】
したがって、再び図２Ａの部分（Ａ）および（Ｂ）の双方を参照すると、本開示の１つ以上の実施形態によれば、分離溝方式は、完全溝または部分溝の製造を含み、後者は、より速い処理時間に関連付けられることができる。いずれの方式でも、シャントを回避するために金属を溝から遠ざけることができることを理解されたい。
【００６４】
パッシベーションされた接合部を有する太陽電池の他の例として、図２Ｂは、本開示の他の実施形態にかかる、後退して保護された縁部を有するエミッタ領域を有する太陽電池の断面図を示している。
【００６５】
図２Ｂの部分（Ａ）を参照すると、太陽電池２００Ｂは、受光面、背面、および側壁を有する基板２０２Ｂを含む。エミッタ領域２１６Ｂは、基板２０２Ｂ内において、基板２０２Ｂの受光面にある。エミッタ領域２１６Ｂは、基板２０２Ｂの側壁から横方向に後退した側壁を有する。パッシベーション層２２６Ｂは、エミッタ領域２１６Ｂの側壁上にある。一実施形態によれば、パッシベーション層２２６Ｂは、図示のように、エミッタ領域２１６Ｂの対応する側壁と基板２０２Ｂの対応する側壁との間の対応する凹部内にある。そのような一実施形態では、図示のように、パッシベーション層２２６Ｂの対応する縁部は、基板２０２Ｂの対応する側壁と垂直に位置合わせされる。
【００６６】
図２Ｂの部分（Ｂ）を参照すると、太陽電池２５０Ｂは、受光面、背面、および側壁を有する基板２５２Ｂを含む。エミッタ領域２６６Ｂは、基板２５２Ｂ内において、基板２５２Ｂの受光面にある。エミッタ領域２６６Ｂは、基板２５２Ｂの側壁から横方向に後退した側壁を有する。パッシベーション層２７６Ｂは、エミッタ領域２６６Ｂの側壁上にある。一実施形態によれば、パッシベーション層２７６Ｂは、図示のように、エミッタ領域２６６Ｂの対応する側壁と基板２５２Ｂの対応する側壁との間の対応する溝内にある。そのような一実施形態では、分離されたエミッタ領域部分は、図示のように、太陽電池２５０Ｂの外周においてパッシベーション層２７６Ｂに横方向に隣接したままである。
【００６７】
図２Ｂの部分（Ａ）および（Ｂ）の双方を参照すると、パッシベーション層２１８Ｂまたは２６８Ｂは、それぞれ、基板２０２Ｂまたは２５２Ｂの受光面上にある。エミッタ領域２１６Ｂまたは２６６Ｂの側壁上のパッシベーション層２２６Ｂまたは２７６Ｂは、それぞれ、基板２０２Ｂまたは２５２Ｂの受光面上のそれぞれのパッシベーション層２１８Ｂまたは２６８Ｂと連続している。一実施形態では、パッシベーション層２１６Ｂ／２２６Ｂまたは２６６Ｂ／２７６Ｂは、酸化ケイ素（ＳｉＯｘ）もしくは窒化ケイ素（ＳｉＮｘ）もしくは酸化アルミニウム（ＡｌＯｘ）、または酸化ケイ素（ＳｉＯｘ）の層、窒化ケイ素（ＳｉＮｘ）の層、および／もしくは酸化アルミニウム（ＡｌＯｘ）の層のうちの２つ以上の組み合わせを含む。
【００６８】
再び図２Ｂの部分（Ａ）および（Ｂ）の双方を参照すると、導電性コンタクト２２０Ｂまたは２７０Ｂは、それぞれ、エミッタ領域２１６Ｂまたは２６６Ｂ内の導電型のドーパントの領域２０６Ｂまたは２５６Ｂにそれぞれ電気的に接続されている。導電性コンタクト２１０Ｂまたは２６０Ｂは、それぞれ、領域２０６Ｂおよび２６６Ｂと反対の導電性とすることができる、基板２０２Ｂまたは２５２Ｂの背面において領域２０４Ｂまたは２５４Ｂにそれぞれ電気的に接続されている。
【００６９】
パッシベーションされた接合部を有する太陽電池の他の例として、図２Ｃは、本開示の実施形態にかかる、後退して保護された縁部を有するエミッタ領域を有する太陽電池の断面図を示している。
【００７０】
図２Ｃの部分（Ａ）を参照すると、太陽電池２００Ｃは、第１（例えば上部）および第２（例えば下部）の受光面および側壁を有する基板２０２Ｃを含む。エミッタ層２１６Ｃ１は、基板２０２Ｃの第１の受光面において、基板２０２Ｃ上の真性層２１５Ｃ上にある。エミッタ領域２１６Ｃ１は、基板２０２Ｃの側壁から横方向に後退した側壁を有する。透明導電性酸化物層２２６Ｃは、エミッタ領域２１６Ｃ１の側壁上にある。一実施形態によれば、透明導電性酸化物層２２６Ｃは、図示のように、エミッタ領域２１６Ｃ１の対応する側壁と基板２０２Ｃの対応する側壁との間の対応する凹部内にある。そのような一実施形態では、透明導電性酸化物層２２６Ｃの対応する縁部は、図示のように、基板２０２Ｃの対応する側壁と垂直に位置合わせされる。導電性コンタクト２２０Ｃは、エミッタ領域２１６Ｃ１上の透明導電性酸化物層２１０Ｃに電気的に接続されている。
【００７１】
再び図２Ｃの部分（Ａ）を参照すると、エミッタ層２１６Ｃ２は、基板２０２Ｃの第２の受光面において、基板２０２Ｃ上の真性層２１５Ｃ上にある。エミッタ領域２１６Ｃ２は、エミッタ領域２１６Ｃ１の導電型と反対の導電型を有する。エミッタ領域２１６Ｃ２は、基板２０２Ｃの側壁から横方向に後退した側壁を有する。透明導電性酸化物層２２６Ｃは、エミッタ領域２１６Ｃ２の側壁上にある。一実施形態によれば、透明導電性酸化物層２２６Ｃは、図示のように、エミッタ領域２１６Ｃ２の対応する側壁と基板２０２Ｃの対応する側壁との間の対応する凹部内にある。そのような一実施形態では、透明導電性酸化物層２２６Ｃの対応する縁部は、図示のように、基板２０２Ｃの対応する側壁と垂直に位置合わせされる。導電性コンタクト２２０Ｃは、エミッタ領域２１６Ｃ２上の透明導電性酸化物層２１０Ｃに電気的に接続されている。
【００７２】
図２Ｃの部分（Ｂ）を参照すると、太陽電池２５０Ｃは、第１（例えば、上部）および第２（例えば、下部）の受光面および側壁を有する基板２５２Ｃを含む。エミッタ層２６６Ｃ１は、基板２５２Ｃの第１の受光面において基板２５２Ｃ上の真性層２６５Ｃ上にある。エミッタ領域２６６Ｃ１は、基板２５２Ｃの側壁から横方向に後退した側壁を有する。透明導電性酸化物層２７６Ｃは、エミッタ領域２６６Ｃ１の側壁上にある。一実施形態によれば、透明導電性酸化物層２７６Ｃは、図示のように、エミッタ領域２６６Ｃ２の対応する側壁と基板２５２Ｃの対応する側壁との間の対応する溝内にある。そのような一実施形態では、分離されたエミッタ領域部分は、図示のように、太陽電池２５０Ｃの外周において透明導電性酸化物層２７６Ｃに横方向に隣接したままである。導電性コンタクト２７０Ｃは、エミッタ領域２６６Ｃ１上の透明導電性酸化物層２６０Ｃに電気的に接続されている。
【００７３】
再び図２Ｃの部分（Ｂ）を参照すると、エミッタ層２６６Ｃ２は、基板２５２Ｃの第２の受光面において、基板２５２Ｃ上の真性層２６５Ｃ上にある。エミッタ領域２６６Ｃ２は、エミッタ領域２６６Ｃ１の導電型と反対の導電型を有する。エミッタ領域２６６Ｃ２は、基板２５２Ｃの側壁から横方向に後退した側壁を有する。透明導電性酸化物層２７６Ｃは、エミッタ領域２６６Ｃ２の側壁上にある。一実施形態によれば、透明導電性酸化物層２７６Ｃは、図示のように、エミッタ領域２６６Ｃ２の対応する側壁と基板２５２Ｃの対応する側壁との間の対応する溝内にある。そのような一実施形態では、分離されたエミッタ領域部分は、図示のように、太陽電池２５０Ｃの外周において透明導電性酸化物層２７６Ｃに横方向に隣接したままである。導電性コンタクト２７０Ｃは、エミッタ領域２６６Ｃ２上の透明導電性酸化物層２６０Ｃに電気的に接続されている。
【００７４】
例示的な処理方式として、図３は、本開示の実施形態にかかる、横方向に後退して保護された縁部を有するエミッタ領域を有する太陽電池の形成の平面図を示している。
【００７５】
図３の部分（Ａ）を参照すると、太陽電池の製造方法は、基板３００の受光面において、基板３００内にエミッタ領域を形成することを含む。部分（Ｂ）または（Ｃ）を参照すると、エミッタ領域に溝が形成される。パッシベーション層２１８または２６８は、基板の受光面上および溝内に形成される。基板は、側壁と、太陽電池の側壁から横方向に後退した側壁を有するエミッタ領域とを有する太陽電池を形成するようにクリーブ加工される。
【００７６】
図３の部分（Ｂ）を特に参照すると、実施形態では、基板のクリーブ加工は、図２Ａの部分（Ａ）に関連して上述したように、各凹部にパッシベーション層２２４／２２６をそれぞれ有するセル３０２を形成するように溝内のパッシベーション層を通してクリーブ加工することを含む。図３の部分（Ｃ）を特に参照すると、他の実施形態では、基板のクリーブ加工は、図２Ａの部分（Ｂ）に関連して上述したように、各溝にパッシベーション層２７４／２７６をそれぞれ有するセル３０４を形成するように、溝に横方向に隣接するエミッタ領域の一部を通してクリーブ加工することを含む。
【００７７】
実施形態では、基板３００のエミッタ領域に溝を形成することは、レーザアブレーションを使用することを含む。他の実施形態では、基板３００のエミッタ領域に溝を形成することは、エッチングペーストを使用することを含む。全体として、本開示の１つ以上の実施形態によれば、低照度性能を改善するためにセルを完全に切断または部分的に切断（例えばハーフカット）するためにも使用することができる分離溝を形成するために、レーザまたはエッチングペーストのインクジェットもしくはスクリーンが使用される。実施形態では、セルの拡散長が重ね合わせよりもはるかに小さいため、瓦状の下方の縁部はそれほど重要でない可能性があるが、双方のクリーブ加工された縁部がパッシベーションされる。他の実施形態では、単一の縁部のみが上述したプロセスにしたがってパッシベーションされる。
【００７８】
図１３は、本発明の実施形態にかかる、太陽電池の製造方法における様々な動作を表すフローチャート１３００である。動作１３０２において、本方法は、基板の受光面において、基板内にエミッタ領域を形成することを含む。動作１３０４において、本方法は、エミッタ領域に溝を形成することを含む。動作１３０６において、本方法は、基板の受光面上および溝内にパッシベーション層を形成して、エミッタ縁部をパッシベーションすることを含む。動作１３０８において、本方法は、基板をクリーブ加工して、側壁と、太陽電池の側壁から横方向に後退した側壁を有するエミッタ領域とを有する太陽電池を形成することを含む。一実施形態では、完全な溝手法が使用される。他の実施形態では、部分溝手法が使用される。
【００７９】
本開示の１つ以上の実施形態によれば、太陽電池モジュールにおけるシリコン太陽電池の高効率の瓦状配置が本明細書に記載される。例として、図４は、隣接する太陽電池の端部が重なり合って電気的に接続されてスーパーセル４００を形成する、瓦状に配置された直列接続太陽電池４０２のストリングの断面図を示している。各太陽電池４０２は、半導体ダイオード構造、および光が照射されたときに太陽電池４０２において生成される電流が外部負荷に供給されることができる半導体ダイオード構造への電気コンタクトを含む。
【００８０】
本明細書に記載される例では、各太陽電池４０２は、ｎ−ｐ接合部の両側に電気コンタクトを提供する前（太陽側）面および背（影側）面メタライゼーションパターンを有する結晶シリコン太陽電池であり、前面メタライゼーションパターンは、ｎ型導電性の半導体層上に配置され、背面メタライゼーションパターンは、ｐ型導電性の半導体層上に配置される。しかしながら、本明細書に記載の太陽電池モジュールにおける太陽電池４０２の代わりに、またはそれに加えて、任意の他の適切な材料システム、ダイオード構造、物理的寸法、または電気コンタクト配置を採用する任意の他の適切な太陽電池を使用することができる。例えば、前（太陽側）面メタライゼーションパターンは、ｐ型導電性の半導体層上に配置されることができ、背（影側）面メタライゼーションパターンは、ｎ型導電性の半導体層上に配置されることができる。
【００８１】
再び図４を参照すると、スーパーセル４００において、隣接する太陽電池４０２は、１つの太陽電池の前面メタライゼーションパターンを隣接する太陽電池の背面メタライゼーションパターンに電気的に接続する導電性接合材料によって隣接する太陽電池４０２が重なり合う領域内で互いに導電接合される。適切な導電性接合材料としては、例えば、導電性接着剤ならびに導電性接着膜および接着テープ、ならびに従来のはんだを挙げることができる。好ましくは、導電性接合材料によって、隣接する太陽電池間の結合に、導電性接合材料の熱膨張係数（ＣＴＥ）と太陽電池の熱膨張係数（例えば、シリコンのＣＴＥ）の不一致から生じる応力を吸収する機械的適合性が提供される。そのような機械的適合性を提供するために、いくつかの変形例では、導電性接合材料は、約０℃以下のガラス転移温度を有するように選択される。ＣＴＥの不整合から生じる太陽電池の重なり合う縁部に平行な応力を更に低減して適応させるために、導電性接合材料は、必要に応じて、実質的に太陽電池の縁部の長さを拡張する連続した線ではなく、太陽電池の重なり合う領域に沿った別個の位置にのみ適用されることができる。
【００８２】
太陽電池の前面および背面に垂直に測定された、導電性接合材料によって形成された隣接して重なり合う太陽電池間の導電性結合の厚さは、例えば約０．１ｍｍ未満とすることができる。そのような薄い結合は、セル間の相互接続での抵抗損失を低減し、また、動作中に発生する可能性のあるスーパーセルの任意のホットスポットからのスーパーセルに沿った熱の流れを促進する。
【００８３】
図５は、スーパーセル４００において使用することができる例示的な矩形太陽電池４０２の前面を示している。適切な場合、太陽電池４０２の他の形状も使用することができる。すなわち、太陽電池４０２は、矩形である必要はない。図示の例では、太陽電池４０２の前面メタライゼーションパターンは、太陽電池４０２の長辺の１つの縁部に隣接して配置され且つ実質的に長辺の長さにわたって長辺に平行に延びるバスバー５００と、バスバーに垂直に取り付けられ且つ実質的に太陽電池４０２の短辺にわたって互いにおよび短辺に平行に延びるフィンガ５０２とを含む。
【００８４】
図５の例では、太陽電池４０２は、約１５６ｍｍの長さ、約２６ｍｍの幅、したがって約１：６のアスペクト比（短辺の長さ／長辺の長さ）を有する。６つのそのような太陽電池は、標準の１５６ｍｍ×１５６ｍｍの寸法のシリコンウェハ上に作製され、次に分離（ダイシング）されて図示のような太陽電池を提供することができる。他の変形例では、約１９．５ｍｍ×１５６ｍｍの寸法、したがって約１：８のアスペクト比を有する８つの太陽電池４０２を標準的なシリコンウェハから作製することができる。より一般的には、太陽電池４０２は、例えば、約１：２から約１：２０までのアスペクト比を有することができ、標準サイズのウェハまたは任意の他の適切な寸法のウェハから作製されることができる。１５６．７５ｍｍ×１５６．７５ｍｍ、１５８．７５ｍｍ×１５８．７５ｍｍ、１６１．７５ｍｍ×１６１．７５ｍｍ、更にはそれ以上の面積を有するシリコンウェハなど、１５６ｍｍ×１５６ｍｍよりも大きいシリコンウェハを使用することができることを理解されたい。他の実施形態では、１５６ｍｍ×１５６ｍｍよりも小さいシリコンウェハを使用することができる。
【００８５】
図６Ａは、前述のように矩形太陽電池を形成するために、標準的なサイズおよび形状の擬似正方形シリコン太陽電池ウェハ６００を切断、破壊、または別の方法で分けられることができる例示的な方法を示している。この例では、いくつかの全幅の矩形太陽電池がウェハの中央部から切り出され、更にいくつかのより短い矩形太陽電池４０２Ｓがウェハの端部から切り出され、ウェハの面取りまたは丸みを帯びた角が破棄される。太陽電池を使用して、ある幅の瓦状スーパーセルを形成することができ、太陽電池４０２Ｓを使用して、より狭い幅の瓦状スーパーセルを形成することができる。
【００８６】
図６Ｂおよび図６Ｃは、図６Ｃに示される破線に沿ってダイシングされて図５に示されるものと同様の前面メタライゼーションパターンを有する複数の太陽電池４０２を提供することができる擬似正方形ウェハ６００と、前面メタライゼーションパターンを有する二つの面取り太陽電池４０２との正面図および背面図を示している。
【００８７】
図６Ｂに示される例示的な前面メタライゼーションパターンでは、別個の接触パッド５００を相互接続する薄い導体の２つの端部は、太陽電池の面取り角の周りに延在し、別個の接触パッドが配置される太陽電池の長辺からの距離が増加するにつれて先細りする。そのような先細りは任意であるが、抵抗損失を大幅に増加させることなく、太陽電池の活性領域の金属使用および遮光を有利に低減することができる。
【００８８】
図６Ｄおよび図６Ｅは、図５に示されるものと同様の前面メタライゼーションパターンを有する複数の太陽電池４０２を提供するために、図６Ｅに示される破線に沿ってダイシングされることができる完全な正方形ウェハ６０６の正面図および背面図を示している。
【００８９】
面取りされた矩形太陽電池は、面取り太陽電池のみを含むスーパーセルを形成するために使用することができる。追加的にまたは代替的に、１つ以上のそのような面取りされた矩形太陽電池は、スーパーセルを形成するために、１つ以上の非面取り矩形太陽電池（例えば、図５）と組み合わせて使用することができる。例えば、スーパーセルの端部太陽電池は、面取り太陽電池とすることができ、中間の太陽電池は、非面取り太陽電池であってもよい。面取りされた太陽電池がスーパーセル、またはより一般的には太陽電池モジュールにおいて非面取り太陽電池と組み合わせて使用される場合、太陽電池の動作中に面取り太陽電池および非面取り太陽電池の同じ前面領域が光にさらされることををもたらすような太陽電池の寸法を使用することが望ましいこともある。この方法で太陽電池面積を一致させると、面取り太陽電池および非面取り太陽電池において生成される電流が一致し、これにより、面取り太陽電池および非面取り太陽電池の双方を含む直列接続ストリングの性能が向上する。同じ擬似正方形ウェハから切り出された面取り太陽電池および非面取り太陽電池の面積は、例えば、面取り太陽電池の欠けている角を補うために、ウェハがダイシングされる線の位置を調整して、それらの長軸に垂直な方向において非面取り太陽電池よりも面取り太陽電池を僅かに広くすることによって一致させることができる。
【００９０】
太陽電池モジュールは、非面取り矩形太陽電池からのみ形成されたスーパーセルのみ、面取り矩形太陽電池から形成されたスーパーセルのみ、もしくは面取り太陽電池および非面取り太陽電池を含むスーパーセルのみ、またはこれら３つのスーパーセルの任意の組み合わせを含むことができる。
【００９１】
場合によっては、ウェハの縁部の近くの標準サイズの正方形または擬似正方形の太陽電池ウェハ（例えば、ウェハ６００またはウェハ６０６）の部分は、縁部から離れて位置するウェハの部分よりも低い効率で光を電気に変換することができる。結果として得られる矩形太陽電池の効率を改善するために、いくつかの変形例では、ウェハがダイシングされる前に、低効率部分を除去するためにウェハの１つ以上の縁部がトリミングされる。ウェハの縁部からトリミングされた部分は、例えば、約１ｍｍから約５ｍｍの幅を有することができる。更に、図６Ｂおよび図６Ｃに示されるように、ウェハからダイシングされる２つの端部太陽電池４０２は、前面バスバー（または別個の接触パッド）５００がそれらの外縁部に沿って、したがってウェハの２つの縁部に沿っている状態で配向されることができる。本明細書に開示されるスーパーセルでは、バスバー（または別個の接触パッド）５００は、通常、隣接する太陽電池によって重なり合うため、ウェハのこれら２つの縁部に沿った低い光変換効率は、通常、太陽電池の性能に影響を与えない。その結果、いくつかの変形例では、矩形太陽電池の短辺に平行に配向された正方形または擬似正方形ウェハの縁部は、前述のようにトリミングされるが、矩形太陽電池の長辺に平行に配向されたウェハの縁部は、トリミングされない。他の変形例では、正方形ウェハ（例えば、図６Ｄのウェハ６０６）の１つ、２つ、３つ、または４つの縁部が、前述したようにトリミングされる。他の変形例では、擬似正方形ウェハの長辺の１つ、２つ、３つ、または４つが、前述したようにトリミングされる。
【００９２】
本明細書に開示される太陽電池モジュールにおける抵抗電力損失を低減するために、図示のように、標準の１５６ｍｍ×１５６ｍｍ太陽電池よりも細長いアスペクト比および少ない面積を有する太陽電池を有利に使用することができる。特に、標準サイズのシリコン太陽電池と比較して面積が小さい太陽電池４０２は、太陽電池において生成される電流の減少をもたらし、これにより、太陽電池およびそのような太陽電池の直列接続ストリングの抵抗電力損失が直接減少する。更に、そのような矩形太陽電池をスーパーセル４００に配置して、太陽電池の短辺に平行なスーパーセルに電流が流れるようにすると、電流が前面メタライゼーションパターンのフィンガ５０２に到達するために半導体材料内を流れなければならない距離を低減することができ、フィンガの必要な長さを短縮することができ、これにより、抵抗電力損失も削減することができる。
【００９３】
上記のように、太陽電池を直列に電気的に接続するために、それらの重なり合う領域において重なり合う太陽電池４０２を互いに結合すると、太陽電池の従来のタブ付き直列接続ストリングと比較して、隣接する太陽電池間の電気接続の長さが短くなる。これはまた、抵抗電力損失も低減させる。
【００９４】
再び図５を参照すると、図示の例では、太陽電池４０２の前面メタライゼーションパターンは、バスバー５００と平行に且つバスバーから間隔を空けて延びる任意のバイパス導体５０４を含む。（そのようなバイパス導体はまた、必要に応じて、図６Ｂおよび図６Ｄに示されているメタライゼーションパターンにおいて使用することもできる）。バイパス導体５０４は、フィンガ５０２を相互接続して、バスバー５００とバイパス導体５０４との間に形成され得る亀裂を電気的にバイパスする。そのような亀裂は、バスバー５００に近い位置でフィンガ５０２を切断する可能性があり、そうでなければ、太陽電池４０２の領域をバスバー５００から分離する可能性がある。バイパス導体は、そのような切断されたフィンガとバスバーとの間に代替の電気的経路を提供する。図示された例は、バスバー５００に平行に配置され、バスバーのほぼ全長にわたって延在し、且つ全てのフィンガ５０２を相互接続するバイパス導体５０４を示している。この配置が好ましい場合もあるが、必須ではない。存在する場合、バイパス導体は、バスバーと平行に延びる必要はなく、バスバーの全長を延在する必要はない。更に、バイパス導体は、少なくとも２つのフィンガを相互接続するが、全てのフィンガを相互接続する必要はない。例えば、長いバイパス導体の代わりに、２つ以上の短いバイパス導体を使用することができる。バイパス導体の任意の適切な配置を使用することができる。
【００９５】
図５の例示的な前面メタライゼーションパターンはまた、バスバー５００とは反対側の遠端においてフィンガ５０２を相互接続する任意の端部導体５０６も含む。（そのような端部導体は、必要に応じて、図６Ｂおよび図６Ｄに示されるメタライゼーションパターンにおいて使用することもできる）。導体５０６の幅は、例えばフィンガ５０２の幅とほぼ同じにすることができる。導体５０６は、フィンガ５０２を相互接続して、バイパス導体５０４と導体５０６との間に形成され得る亀裂を電気的にバイパスし、それにより、さもなければそのような亀裂によって電気的に分離される太陽電池４０２の領域についてのバスバー５００への電流経路を提供する。
【００９６】
図示された例のいくつかは、太陽電池４０２の長辺の長さを延在する前面バスバー５００を実質的に均一な幅で示しているが、これは必須ではない。例えば、上記に暗示されるように、全部バスバー５００は、例えば図６Ｂに示すように、例えば太陽電池４０２の側面に沿って互いに並べて配置されることができる２つ以上の別個の前面接触パッド５００によって置き換えられてもよい。そのような別個の接触パッドは、必要に応じて、例えば前述した図における例に示されるように、それらの間を延びるより細い導体によって相互接続されることができる。そのような変形例では、太陽電池の長辺に対して垂直に測定された接触パッドの幅は、例えば、接触パッドを相互接続する細い導体の幅の約２倍から約２０倍とすることができる。前面メタライゼーションパターン内の各フィンガに別個の（例えば、小さな）接触パッドが存在してもよく、各接触パッドが２つ以上のフィンガに接続されてもよい。前面接触パッド５００は、例えば、正方形であってもよく、または太陽電池の縁部に平行に細長い矩形の形状を有してもよい。前面接触パッド５００は、太陽電池の長辺に垂直な例えば約１ｍｍから約１．５ｍｍの幅、および、太陽電池の長辺に平行な例えば約１ｍｍから約１０ｍｍの長さを有することができる。太陽電池の長辺に平行に測定された接触パッド５００間の間隔は、例えば、約３ｍｍから約３０ｍｍとすることができる。
【００９７】
あるいは、太陽電池４０２は、前部バスバー５００および別個の前面接触パッド５００の双方を欠いていてもよく、前面メタライゼーションパターンにフィンガ５０２のみを含んでもよい。そのような変形例では、そうでなければ前部バスバー５００または接触パッド５００によって実行されるであろう電流収集機能は、代わりに、上述した重なり合う構成において２つの太陽電池４０２を互いに結合するために使用される導電性材料によって実行されるかまたは部分的に実行されることができる。
【００９８】
バスバー５００および接触パッド５００の双方を欠く太陽電池は、バイパス導体５０４を含むか、またはバイパス導体５０４を含まないかのいずれかとすることができる。バスバー５００および接触パッド５００が存在しない場合、バイパス導体５０４は、バイパス導体と、重なり合う太陽電池に導電結合される前面メタライゼーションパターンの部分との間に形成される亀裂をバイパスするように配置されることができる。
【００９９】
バスバーまたは別個の接触パッド５００、フィンガ５０２、バイパス導体５０４（存在する場合）、および端部導体５０６（存在する場合）を含む前面メタライゼーションパターンは、例えば、そのような目的のために従来使用される銀ペーストから形成され、例えば、従来のスクリーン印刷法によって蒸着されることができる。あるいは、前面メタライゼーションパターンは、電気めっきされた銅から形成されることができる。任意の他の適切な材料およびプロセスも使用することができる。前面メタライゼーションパターンが銀から形成されている変形例では、セルの縁部に沿った連続バスバー５００ではなく、別個の前面接触パッド５００を使用すると、太陽電池上の銀の量が減り、コストを有利に削減することができる。前面メタライゼーションパターンが銅からまたは銀よりも安価な他の導体から形成される変形例では、コストの不利益なしに連続バス５００を使用することができる。
【０１００】
図６Ｃおよび図６Ｅは、太陽電池の例示的な背面メタライゼーションパターンを示している。これらの例では、背面メタライゼーションパターンは、太陽電池の背面の長辺の１つに沿って配置された別個の背面接触パッド６０２と、太陽電池の残りの背面の実質的に全てを覆う金属コンタクト６０４とを含む。瓦状スーパーセルでは、接触パッド６０２は、２つの太陽電池を直列に電気的に接続するために、例えば隣接して重なり合う太陽電池の上面の縁部に沿って配置されたバスバーまたは別個の接触パッドに結合される。例えば、別個の各背面接触パッド６０２は、別個の接触パッドにのみ適用される導電性接合材料によって、重なり合う太陽電池の前面の対応する別個の前面接触パッド５００と位置合わせされて結合されることができる。別個の接触パッド６０２は、例えば、正方形であってもよく、または太陽電池の縁部に平行に細長い矩形形状を有してもよい（例えば、図６Ｃおよび図６Ｅ）。接触パッド６０２は、太陽電池の長辺に垂直な例えば約１ｍｍから約５ｍｍの幅、および、太陽電池の長辺に平行な例えば約１ｍｍから約１０ｍｍの長さを有することができる。太陽電池の長辺に平行に測定された接触パッド６０２間の間隔は、例えば、約３ｍｍから約３０ｍｍとすることができる。
【０１０１】
コンタクト６０４は、例えば、アルミニウムおよび／または電気めっきされた銅から形成されることができる。アルミニウム背面コンタクト６０４の形成は、通常、太陽電池内の背面再結合を低減する背面電界を提供し、それにより太陽電池効率を改善する。コンタクト６０４がアルミニウムではなく銅から形成される場合、コンタクト６０４は、同様に背面再結合を低減するために、他のパッシベーション方式（例えば、酸化アルミニウム）と組み合わせて使用することができる。別個の接触パッド６０２は、例えば銀ペーストから形成されることができる。セルの縁部に沿った連続的な銀接触パッドではなく、別個の銀接触パッド６０２を使用すると、背面メタライゼーションパターンの銀の量が減少し、有利にコストを削減することができる。
【０１０２】
更に、太陽電池が背面コンタクトの再結合を低減するためにアルミニウムコンタクトの形成によって提供される背面電界に依存している場合、連続的な銀コンタクトではなく別個の銀コンタクトを使用すると、太陽電池の効率を向上させることができる。これは、銀の背面コンタクトが背面電界を提供しないため、キャリアの再結合を促進して銀コンタクト上の太陽電池に不感（非活性）容積を生成する傾向があるためである。従来のリボンタブ付き太陽電池ストリングでは、それらの不感容積は、通常、太陽電池の前面のリボンおよび／またはバスバーによって遮光されているため、効率の余分な損失をもたらさない。しかしながら、本明細書に開示される太陽電池およびスーパーセルでは、背面銀接触パッド６０２上の太陽電池の容積は、通常、いかなる前面メタライゼーションによっても遮光されておらず、銀背面メタライゼーションの使用に起因するいかなる不感容積も、セルの効率を低減させる。したがって、太陽電池の背面の縁部に沿った連続的な銀接触パッドではなく、別個の銀接触パッド６０２を使用すると、いかなる対応する不感帯の容積も減少し、太陽電池の効率を向上させる。
【０１０３】
図に示される特定の例の太陽電池は、前面および背面のメタライゼーションパターンの特定の組み合わせを有するものとして説明されているが、より一般的には、前面および背面のメタライゼーションパターンの任意の適切な組み合わせを使用することができる。例えば、１つの適切な組み合わせは、別個の接触パッド５００、フィンガ５０２、および任意のバイパス導体５０４を含む銀前面メタライゼーションパターン、ならびにアルミニウムコンタクト６０４および別個の銀接触パッド６０２を含む背面メタライゼーションパターンを使用することができる。他の適切な組み合わせは、連続バスバー５００、フィンガ５０２、および任意のバイパス導体５０４を含む銅前面メタライゼーションパターン、ならびに連続バスバー６０２および銅コンタクト６０４を含む背面メタライゼーションパターンを使用することができる。より一般的には、太陽電池４０２は、任意の適切な前面および背面メタライゼーションパターンを使用することができる。
【０１０４】
図７は、図４に示すように瓦状に配置された図５に示すような太陽電池４０２を含む例示的な矩形スーパーセル４００の前面の一部を示している。瓦状形状の結果、太陽電池４０２の対間に物理的な間隙はない。更に、スーパーセル４００の一端にある太陽電池４０２のバスバー５００が見えるが、他の太陽電池のバスバー（または前面接触パッド）は、隣接する太陽電池の重なり合う部分の下方に隠れている。結果として、スーパーセル４００は、太陽電池モジュールで占める領域を効率的に使用する。特に、その領域のうち、従来のタブ付き太陽電池配置、および太陽電池の照射される表面上に多数の視認可能なバスバーを含む太陽電池配置の場合よりも大きい部分が電気を生成するために利用可能である。
【０１０５】
図７に示される例では、バイパス導体５０４は、隣接するセルの重なり合う部分によって隠されている。あるいは、バイパス導体５０４を含む太陽電池は、バイパス導体を覆わずに図７に示されるものと同様に重なり合うことができる。
【０１０６】
スーパーセル４００の一端にある露出した前面バスバー５００、およびスーパーセル４００の他端にある太陽電池の背面メタライゼーションは、スーパーセル４００を他のスーパーセルおよび／または他の電気部品に必要に応じて電気的に接続するために使用することができるスーパーセルの負および正（端子）端部コンタクトを提供する。
【０１０７】
スーパーセル４００内の隣接する太陽電池は、任意の適切な量、例えば約１ミリメートル（ｍｍ）から約５ｍｍだけ重なり合うことができる。
【０１０８】
例えば、図８Ａ〜図８Ｄに示すように、前述した瓦状スーパーセルは、太陽電池モジュールの領域を効率的に埋めることができる。そのような太陽電池モジュールは、例えば正方形または矩形とすることができる。図８Ａ〜図８Ｄに示されるような矩形太陽電池モジュールは、例えば約１メートルの長さを有する短辺と、例えば約１．５から約２．０メートルの長さを有する長辺とを有することができる。太陽電池モジュールに適した任意の他の形状および寸法も使用することができる。太陽電池モジュール内のスーパーセルの任意の適切な配置を使用することができる。
【０１０９】
正方形または矩形太陽電池モジュールでは、スーパーセルは、通常、太陽電池モジュールの短辺または長辺に平行な列に配置される。各列は、端同士をつないで配置された１つ、２つ、またはそれ以上のスーパーセルを含むことができる。そのような太陽電池モジュールの一部を形成するスーパーセル４００は、任意の適切な数の太陽電池４０２を含むことができ、任意の適切な長さからなることができる。いくつかの変形例では、スーパーセル４００は、それぞれ、それらが一部となっている矩形太陽電池モジュールの短辺の長さにほぼ等しい長さを有する。他の変形例では、スーパーセル４００は、それぞれ、それらが一部となっている矩形太陽電池モジュールの短辺の長さの半分にほぼ等しい長さを有する。他の変形例では、スーパーセル４００は、それぞれ、それらが一部となっている矩形太陽電池モジュールの長辺の長さにほぼ等しい長さを有する。他の変形例では、スーパーセル４００は、それぞれ、それらが一部となっている矩形太陽電池モジュールの長辺の長さの半分にほぼ等しい長さを有する。これらの長さのスーパーセルを作製するのに必要な太陽電池の数は、もちろん、太陽電池モジュールの寸法、太陽電池の寸法、および隣接する太陽電池が重なり合う量に依存する。スーパーセルに適した任意の他の長さも使用することができる。
【０１１０】
スーパーセル４００が矩形太陽電池モジュールの短辺の長さにほぼ等しい長さを有する変形例では、スーパーセルは、例えば、隣接する太陽電池が約３ｍｍだけ重なり合う、約１９．５ミリメートル（ｍｍ）×約１５６ｍｍの寸法を有する５６個の矩形の太陽電池を含むことができる。従来の正方形または擬似正方形の１５６ｍｍウェハから８個のそのような矩形太陽電池が分離されることができる。あるいは、そのようなスーパーセルは、例えば、隣接する太陽電池が約２ｍｍだけ重なり合う、約２６ｍｍ×約１５６ｍｍの寸法を有する３８個の矩形太陽電池を含むことができる。従来の正方形または擬似正方形の１５６ｍｍウェハから６個のそのような矩形太陽電池が分離されることができる。スーパーセル４００が矩形太陽電池モジュールの短辺の長さのほぼ半分の長さを有する変形例では、スーパーセルは、例えば、隣接する太陽電池が約３ｍｍだけ重なり合う、約１９．５ミリメートル（ｍｍ）×約１５６ｍｍの寸法を有する２８個の矩形太陽電池を含むことができる。あるいは、そのようなスーパーセルは、例えば、隣接する太陽電池が約２ｍｍだけ重なり合う、約２６ｍｍ×約１５６ｍｍの寸法を有する１９個の矩形の太陽電池を含むことができる。
【０１１１】
スーパーセル４００が矩形太陽電池モジュールの長辺の長さにほぼ等しい長さを有する変形例では、スーパーセルは、例えば、隣接する太陽電池が約２ｍｍだけ重なり合う、約２６ｍｍ×約１５６ｍｍの寸法を有する７２個の矩形太陽電池を含むことができる。スーパーセル４００が矩形太陽電池モジュールの長辺の長さの半分にほぼ等しい長さを有する変形例では、スーパーセルは、例えば、隣接する太陽電池が約２ｍｍだけ重なり合う、約２６ｍｍ×約１５６ｍｍの寸法を有する３６個の矩形太陽電池を含むことができる。
【０１１２】
図８Ａは、それぞれが太陽電池モジュールの短辺の長さの半分にほぼ等しい長さを有する２０個の矩形スーパーセル４００を含む例示的な矩形太陽電池モジュール８００を示している。スーパーセルは、端同士をつないで対で配置され、１０列のスーパーセルを形成し、スーパーセルの列および長辺は、太陽電池モジュールの短辺と平行に配向されている。他の変形例では、スーパーセルの各列は、３つ以上のスーパーセルを含むことができる。また、同様に構成された太陽電池モジュールは、この例に示すよりも多いまたは少ないスーパーセルの列を含むことができる。
【０１１３】
それらの少なくとも１つが列内の他のスーパーセルに隣接するスーパーセルの端部に前面端部コンタクトを有するように各列のスーパーセルが配置される変形例では、間隙は、太陽電池モジュールの中心線に沿ったスーパーセル４００の前面端部コンタクトへの電気接触を容易にすることができることを理解されたい。例えば、列内の２つのスーパーセルは、一方のスーパーセルが太陽電池モジュールの中心線に沿って前面端子コンタクトを有し、他方のスーパーセルが太陽電池モジュールの中心線に沿って背面端子コンタクトを有するように配置されることができる。そのような配置では、列内の２つのスーパーセルは、太陽電池モジュールの中心線に沿って配置され且つ一方のスーパーセルの前面端子コンタクトおよび他方のスーパーセルの背面端子コンタクトに結合された相互接続によって直列に電気的に接続されることができる。（例えば、以下の図１０Ｃを参照）。スーパーセルの各列が３つ以上のスーパーセルを含む変形例では、スーパーセル間に追加の間隙が存在してもよく、同様に、太陽電池モジュールの側面から離れた場所にある前面端部コンタクトへの電気接触を容易にすることができる。
【０１１４】
図８Ｂは、それぞれが太陽電池モジュールの短辺の長さにほぼ等しい長さを有する１０個の矩形スーパーセル４００を含む例示的な矩形太陽電池モジュール８０３を示している。スーパーセルは、それらの長辺がモジュールの短辺と平行に配向されるように１０個の平行な列として配置される。同様に構成された太陽電池モジュールは、この例に示されているよりも多いまたは少ない横長のスーパーセルの列を含むことができる。
【０１１５】
図８Ｂはまた、太陽電池モジュール８００内のスーパーセルの列内の隣接するスーパーセル間に間隙がない場合の図８Ａの太陽電池モジュール８００の外観を示している。例えば、各列の双方のスーパーセルがモジュールの中心線に沿って背面端部コンタクトを有するようにスーパーセルを配置することによって、間隙の使用を省略することができることを理解されたい。この場合、モジュールの中心に沿ってスーパーセルの前面にアクセスする必要がないため、スーパーセルは、ほとんどまたは全く余計な間隙を有さずに互いにほとんど当接して配置されることができる。あるいは、列内の２つのスーパーセル４００は、一方がモジュールの側面に沿った前面端部コンタクトおよびモジュールの中心線に沿った背面端部コンタクトを有し、他方がモジュールの中心線に沿った前面端部コンタクトおよびモジュールの反対側の側面に沿った背面端部コンタクトを有し、且つスーパーセルの隣接する端部が重なり合うように配置されることができる。可撓性相互接続部は、スーパーセルの一方の前面端部コンタクトおよび他方のスーパーセルの背面端部コンタクトへの電気接続を提供するために、太陽電池モジュールの前面の任意の部分を遮光せずに、スーパーセルの重なり合う端部の間に挟持されることができる。３つ以上のスーパーセルを含む列の場合、これら２つの手法を組み合わせて使用することができる。
【０１１６】
図８Ａおよび図８Ｂに示すスーパーセルおよびスーパーセルの列は、直列および並列の電気接続の任意の適切な組み合わせによって相互接続されることができる。スーパーセル間の相互接続は、例えば、図８Ｃおよび図８Ｄに関して以下に説明されるのと同様に、可撓性相互接続部を使用して行うことができる。
【０１１７】
図８Ｃは、それぞれが太陽電池モジュールの長辺の長さにほぼ等しい長さを有する６個の矩形スーパーセル４００を含む例示的な矩形太陽電池モジュール８０４を示している。スーパーセルは、それらの長辺がモジュールの長辺に平行になるように６個の平行な列として配置される。同様に構成された太陽電池モジュールは、この例に示されているよりも多いまたは少ない横長のスーパーセルの列を含むことができる。この例（および以下の例のいくつか）の各スーパーセルは、それぞれが１５６ｍｍの正方形または擬似正方形ウェハの幅の約１／６に等しい幅を有する７２個の矩形太陽電池を含む。任意の他の適切な寸法の任意の他の適切な数の矩形太陽電池も使用することができる。この例では、スーパーセルの前面端子コンタクトは、モジュールの一方の短辺の縁部に隣接して配置され且つそれと平行に延びる可撓性相互接続部８０６によって互いに電気的に接続されている。スーパーセルの背面端子コンタクトは、太陽電池モジュールの後方にある他方の短辺の縁部に隣接して配置され且つそれと平行に延びる可撓性相互接続部によって同様に互いに接続されている。背面相互接続は、図８Ｃの表示から隠れている。この配置により、６個のモジュール長のスーパーセルは並列に電気的に接続される。
【０１１８】
図８Ｄは、それぞれが太陽電池モジュールの長辺の長さの半分にほぼ等しい長さを有する１２個の矩形のスーパーセル４００を含む例示的な矩形太陽電池モジュール８１２を示している。スーパーセルは、端同士をつないで対で配置され、６列のスーパーセルを形成し、スーパーセルの列および長辺は、太陽電池モジュールの長辺と平行に配向されている。他の変形例では、スーパーセルの各列は、３つ以上のスーパーセルを含むことができる。また、同様に構成された太陽電池モジュールは、この例に示すよりも多いまたは少ないスーパーセルの列を含むことができる。この例（および以下の例のいくつか）の各スーパーセルは、それぞれが１５６ｍｍの正方形または擬似正方形ウェハの幅の約１／６に等しい幅を有する３６個の矩形太陽電池を含む。任意の他の適切な寸法の任意の他の適切な数の矩形太陽電池も使用することができる。太陽電池モジュールの中心線に沿ったスーパーセル４００の前面端部コンタクトへの電気的接触を容易にするために間隙を使用することができることを理解されたい。この例では、モジュールの一方の短辺の縁部に隣接して配置され且つそれと平行に延びる可撓性相互接続部８０６は、６個のスーパーセルの前面端子コンタクトを電気的に相互接続する。同様に、モジュールの背後にあるモジュールの他方の短辺の縁部に隣接して配置され且つそれと平行に延びる可撓性相互接続部は、他の６個のスーパーセルの背面端子コンタクトを電気的に接続する。可撓性相互接続部（この図には示されていない）は、列のスーパーセルの各対の間隙に沿って直列に配置されることができ、必要に応じて、横方向に延びて隣接する列を並列に相互接続することができる。この配置により、６列のスーパーセルは並列に電気的に接続される。必要に応じて、スーパーセルの第１のグループでは、各列の第１のスーパーセルは、他の各列の第１のスーパーセルと電気的に並列に接続され、スーパーセルの第２のグループでは、第２のスーパーセルは、他の各列の第２のスーパーセルと電気的に並列に接続され、スーパーセルの２つのグループは、電気的に直列に接続されている。後者の配置は、スーパーセルの２つのグループのそれぞれを個別にバイパスダイオードと並列に配置することができる。
【０１１９】
図８Ｄの詳細Ａは、モジュールの１つの短辺の縁部に沿ったスーパーセルの背面端子コンタクトの相互接続の図１０Ａに示す断面図の位置を示している。同様に、詳細Ｂは、モジュールの他の短辺の縁部に沿ったスーパーセルの前面端子コンタクトの相互接続の図１０Ｂに示す断面図の位置を示している。詳細Ｃは、間隙８０８に沿った列内のスーパーセルの直列相互接続の図１０Ｃに示される断面図の位置を示している。
【０１２０】
他の例では、ハーフカット太陽電池が太陽電池モジュールの製造に使用される。図８Ｅは、本開示の実施形態にかかる、ハーフカットセルを含む太陽電池モジュールの平面図を示し、図８Ｆは、図８Ｅの太陽電池モジュールの一部の拡大図を示している。
【０１２１】
図８Ｅおよび図８Ｆを参照すると、モジュール８２０は、ハーフカット太陽電池８２２を含む。一実施形態では、図８Ｆに示すように、セルは、上向きハーフカットセル８２２Ａおよび下向きハーフカットセル８２２Ｂの交互の列に配置される。図８Ｅに描かれているように、モジュール８２０の配置に中心線８２４を含めることができる。他の実施形態では、そのような中心線は含まれない。
【０１２２】
他の瓦状モジュール構成が製造されることができることを理解されたい。例として、図８Ｇは、本開示の実施形態にかかる、矩形ストリップ配置を有する垂直瓦状レイアップを含む太陽電池モジュールの平面図を示している。図８Ｇを参照すると、モジュール８３０は、矩形太陽電池８３４の垂直ストリップ８３２を含む。
【０１２３】
他の例として、図８Ｈは、本開示の実施形態にかかる、瓦状の面取りされたセル配置を有する垂直レイアップを含む太陽電池モジュールの平面図を示している。図８Ｈを参照すると、モジュール８４０は、面取り太陽電池８４２の垂直ストリップを含む。
【０１２４】
他の例として、図８Ｉは、本開示の実施形態にかかる、瓦状セルおよび中心線配置を有する垂直レイアップを含む太陽電池モジュールの平面図を示している。図８Ｉを参照すると、モジュール８５０は、面取り太陽電池８５４の垂直ストリップ８５２を含む。他の実施形態では、矩形セルが使用される。図示のように、中心線８５６は、モジュール８５０の配置に含まれることができる。他の実施形態では、そのような中心線は含まれない。
【０１２５】
図９は、図８Ｃおよび図８Ｄよりも詳細に、各列内のスーパーセルを互いに直列に配置し且つ列を互いに並列に配置するように可撓性電気相互接続によって相互接続された３列のスーパーセルの例示的な配置を示している。これらは、例えば、図８Ｄの太陽電池モジュールの３列とすることができる。図９の例では、各スーパーセル４００は、その前面端子コンタクトに導電接合した可撓性相互接続部８０６と、その背面端子コンタクトに導電接合した他の可撓性相互接続部とを有する。各列内の２つのスーパーセルは、一方のスーパーセルの前面端子コンタクトおよび他方のスーパーセルの背面端子コンタクトに導電接合した共有可撓性相互接続部によって直列に電気的に接続される。各可撓性相互接続部は、それが結合されているスーパーセルの端部に隣接して配置され且つそれと平行に延び、スーパーセルを超えて横方向に延びて、隣接する列のスーパーセルの可撓性相互接続部に導電接合し、隣接する列を電気的に並列に接続することができる。図９の破線は、スーパーセルの一部を覆うことで表示から隠されている可撓性相互接続部の部分、または可撓性相互接続部の部分を覆うことで表示から隠されているスーパーセルの部分を示している。
【０１２６】
可撓性相互接続部８０６は、例えば、重なり合う太陽電池の接合に使用するための上述した機械的適合性のある導電性接合材料を用いてスーパーセルに導電接合されることができる。必要に応じて、導電性接合材料は、導電性接合材料または相互接続部の熱膨張係数とスーパーセルの熱膨張係数との不一致から生じるスーパーセルの縁部に平行な応力を低減するかまたはそれに適応するために、スーパーセルの縁部の長さを実質的に延在する連続線ではなく、スーパーセルの縁部に沿った離散位置にのみ配置されることができる。
【０１２７】
可撓性相互接続部８０６は、例えば、薄い銅シートから形成されるかまたはそれを含むことができる。可撓性相互接続部８０６は、必要に応じて、相互接続部のＣＴＥとスーパーセルのＣＴＥとの間の不一致から生じるスーパーセルの縁部に垂直および平行な応力を低減するかまたはそれに適応するために、スーパーセルの縁部に垂直および平行の双方の機械的適合性（可撓性）を高めるように、パターニングされるかまたは別の方法で構成されることができる。そのようなパターニングは、例えば、スリット、スロット、または孔を含むことができる。相互接続部８０６の導電性部分は、相互接続部の可撓性を高めるために、例えば、約１００ミクロン未満、約５０ミクロン未満、約３０ミクロン未満、または約２５ミクロン未満の厚さを有することができる。可撓性相互接続部の機械的適合性、およびそのスーパーセルへの接合は、相互接続されたスーパーセルが、瓦状太陽電池モジュールの製造方法に関して以下により詳細に説明する積層プロセス中のＣＴＥ不一致から生じる応力に耐え、約−４０℃から約８５℃の温度サイクル試験中のＣＴＥ不一致から生じる応力に耐えるのに十分でなければならない。好ましくは、可撓性相互接続部８０６は、それらが接合されるスーパーセルの端部に平行な電流に対して、約０．０１５オーム以下、約０．０１２オーム以下、または約０．０１オーム以下の抵抗を示す。
【０１２８】
例えば、図１０Ａ〜図１０Ｃの断面図に示すように、本明細書に記載の太陽電池モジュールは、通常、スーパーセルと、透明な前面シート１０００と背面シート１００２との間に挟持された１つ以上のカプセル材料８０８との積層構造を含む。透明な前面シートは、例えばガラスとすることができる。必要に応じて、背面シートも透明にすることができ、これは、太陽電池モジュールの両面動作を可能にすることができる。背面シートは、例えばポリマーシートとすることができる。あるいは、太陽電池モジュールは、前面および背面シートガラスの双方を有するガラス−ガラスモジュールとすることができる。
【０１２９】
図１０Ａの断面図（図８Ｄの詳細Ａ）は、太陽電池モジュールの前面から隠された、太陽電池モジュールの縁部の近くのスーパーセルの背面端子コンタクトに導電接合し且つスーパーセルの下方に内向きに延在する可撓性相互接続部８０６の例を示している。図示のように、相互接続部８０６とスーパーセルの背面との間にカプセル材１００４の余分なストリップが配置されることができる。図示のように、接着またははんだ付けされた接合部１００６も含むことができる。
【０１３０】
図１０Ｂの断面図（図８Ｂの詳細Ｂ）は、スーパーセルの前面端子コンタクトに導電接合した可撓性相互接続部８０６の例を示している。図示のように、接着またははんだ付けされた接合部１００８も含むことができる。
【０１３１】
図１０Ｃの断面図（図８Ｂの詳細Ｃ）は、２つのスーパーセルを直列に電気的に接続するために、一方のスーパーセルの前面端子コンタクトおよび他方のスーパーセルの背面端子コンタクトに導電接合した共有可撓性相互接続部８０６の例を示している。任意の黒色フィルムまたはコーティング１０１４が相互接続部に含まれることができる。図示のように、接着またははんだ付けされた接合部１０１０および／または１０１２も含むことができる。
【０１３２】
実施形態によれば、上部リボンが隣り合うモジュールによって覆われるように、モジュール自体が瓦状にされてもよい。図１１は、そのような配置１１００の簡略化された断面図を示しており、隣接するモジュール１１０２の端部１１０１は、インスタントモジュール１１０６の上部リボン１１０４と重なり合うように機能する。各モジュール自体は、複数の瓦状太陽電池１１０７を含む。インスタントモジュール１１０６の下部リボン１１０８は埋められている。インスタントモジュール１１０６の下部リボン１１０８は、次の隣接する瓦状モジュールと重なり合うように、インスタントの瓦状モジュールの高い側に位置する。この瓦状モジュール構成はまた、モジュールアレイの最終的な露出領域に悪影響を与えることなく、モジュール上の他の要素の追加領域を提供することもできる。重なり合う領域に配置されることができるモジュール要素の例は、これらに限定されるものではないが、接続箱（ｊボックス）１１１０および／またはバスリボンを含むことができる。
【０１３３】
図１２は、瓦状モジュール構成１２００の他の実施形態を示している。ここで、それぞれの隣接する瓦状モジュール１２０６および１２０８のｊボックス１２０２、１２０４は、それらの間の電気的接続を達成するために嵌合配置１２１０にある。これは、配線をなくすことによって瓦状モジュールのアレイの構成を簡略化する。特定の実施形態では、ｊボックスは、補強されることができ、且つ／または追加の構造的スタンドオフと組み合わせることができる。そのような構成は、統合された傾斜モジュールルーフマウントラックの解決策を形成することができ、接続箱の寸法は傾斜を決定する。そのような実装は、瓦状モジュールのアレイが平らな屋根に取り付けられている場合に特に役立つことができる。モジュールがガラス基板およびガラスカバーを含む場合（ガラス−ガラスモジュール）、モジュールは、モジュール全体の長さ（したがって、瓦状にすることにより生じる露出長さＬ）を短くすることにより、追加のフレーム部材なしで使用することができる。そのような短縮により、傾斜アレイのモジュールは、歪みのもとで割れることなく、予想される物理的負荷（例えば、５４００Ｐａの雪荷重制限）に耐えることができる。
【０１３４】
瓦状に組み立てられた複数の個々の太陽電池を含むスーパーセル構造の使用は、物理的負荷および他の要件によって決定される特定の長さを満たすためにモジュールの長さの変更に容易に適応することができることを理解されたい。
【０１３５】
太陽電池を製造するために、上述した１つ以上のプロセスを実装することができることも理解されたい。上述したプロセスは、太陽電池を製造するために、全体として、または上述した１つ以上のプロセスの一部として実装されることができる。前面接触太陽電池について上記詳細に説明したが、相互嵌合背面接触（ＩＢＣ）太陽電池製造プロセスも、本明細書に開示された実施形態を実装することによって利益を得ることができることを理解されたい。
【０１３６】
特定の材料が上述の実施形態に関連して具体的に記載されているが、いくつかの材料は、他の実施形態が本開示の実施形態の趣旨及び範囲内に留まる限り、そのような実施形態の他のもので容易に置き換えられることができる。例えば、一実施形態では、異なる材料基板（例えばＩＩＩ〜Ｖ族材料基板）を、シリコン基板の代わりに用いることができる。更にまた、太陽電池の背面のエミッタ領域に関して、Ｐ＋型ドーピングの後にＮ＋型ドーピングとする順序が特に記載されている場合、想定される他の実施形態は、導電型の反対の順序、すなわち、それぞれ、Ｎ＋型ドーピングの後にＰ＋型ドーピングを含むことを理解すべきである。他の実施形態では、Ｎ型ドープ基板の代わりにＰ型ドープ基板が使用される。他の実施形態では、上述した手法は、太陽電池以外の製造に適用可能とすることができる。例えば、発光ダイオード（ＬＥＤ）の製造は、本明細書に記載の手法から利益を得ることができる。
【０１３７】
したがって、クリーブ加工された縁部から後退した接合部を有する太陽電池を製造する方法、および結果として得られる太陽電池が開示されてきた。
【０１３８】
具体的な実施形態が上述されてきたが、これらの実施形態は、特定の機能に関して単一の実施形態のみが説明される場合であっても、本開示の範囲を限定することを意図するものではない。本開示で提供される特徴の例は、別段の記述がある場合を除き、制約的であることよりも、むしろ例示的であることを意図するものである。上記の説明は、本開示から利益を得る当業者には明らかとなるような、代替形態、変更形態、および均等物を包含することを意図するものである。
【０１３９】
本開示の範囲は、本明細書で対処される問題のいずれかまたは全てを軽減するか否かにかかわらず、本明細書で（明示的または暗示的に）開示される、あらゆる機能もしくは機能の組み合わせ、またはそれらのあらゆる一般化を含む。したがって、本出願（または、本出願に対する優先権を主張する出願）の実施の間に、任意のそのような機能の組み合わせに対して、新たな請求項を形式化することができる。具体的には、添付の「特許請求の範囲」を参照して、従属請求項からの特徴を、独立請求項の特徴と組み合わせることができ、それぞれの独立請求項からの特徴を、任意の適切な方式で、単に添付の請求項で列挙される具体的な組み合わせのみではなく、組み合わせることができる。
【０１４０】
以下の例は、さらなる実施形態に関する。異なる実施形態の様々な特徴は、様々な異なる用途に適合するように含まれるいくつかの特徴および除外される他の特徴と様々に組み合わせることができる。
【０１４１】
例示的な実施形態１：太陽電池は、受光面、背面、および側壁を有する基板を含む。エミッタ領域は、基板の受光面において基板内にあり、エミッタ領域は、基板の側壁から横方向に後退した側壁を有する。パッシベーション層は、エミッタ領域の側壁にある。
【０１４２】
例示的な実施形態２：パッシベーション層が、エミッタ領域の対応する側壁と基板の対応する側壁との間の対応する凹部内にある、例示的な実施形態１の太陽電池。
【０１４３】
例示的な実施形態３：パッシベーション層の対応する縁部が、基板の対応する側壁と垂直に位置合わせされている、例示的な実施形態２の太陽電池。
【０１４４】
例示的な実施形態４：パッシベーション層が、エミッタ領域の対応する側壁と基板の対応する側壁との間の対応する溝内にある、例示的な実施形態１の太陽電池。
【０１４５】
例示的な実施形態５：更に、基板の受光面上のパッシベーション層を含み、エミッタ領域の側壁上のパッシベーション層が、基板の受光面上のパッシベーション層と連続している、例示的な実施形態１、２、３、または４の太陽電池。
【０１４６】
例示的な実施形態６：基板の受光面上のパッシベーション層およびエミッタ領域の側壁上のパッシベーション層が、酸化ケイ素（ＳｉＯｘ）および窒化ケイ素（ＳｉＮｘ）を含む、例示的な実施形態５の太陽電池。
【０１４７】
例示的な実施形態７：エミッタ領域が所定濃度の導電型のドーパントを含み、太陽電池が、更に、エミッタ領域内に導電型のドーパントの領域を含み、導電型のドーパントの領域が、エミッタ領域の導電型のドーパントの濃度よりも高い導電型のドーパントの濃度を有する、例示的な実施形態１、２、３、４、５または６の太陽電池。
【０１４８】
例示的な実施形態８：導電型がｎ型であり、ドーパントがリンドーパントおよびヒ素ドーパントからなる群から選択される、例示的な実施形態７の太陽電池。
【０１４９】
例示的な実施形態９：更に、エミッタ領域内の導電型のドーパントの領域に電気的に接続された導電性コンタクトを含む、例示的な実施形態７または８の太陽電池。
【０１５０】
例示的な実施形態１０：導電性コンタクトが、基板の受光面上のパッシベーション層を通してスクリーン印刷および焼成される、例示的な実施形態９の太陽電池。
【０１５１】
例示的な実施形態１１：導電性コンタクトが銀を含む、例示的な実施形態９または１０の太陽電池。
【０１５２】
例示的な実施形態１２：基板がｐ型単結晶シリコン基板である、例示的な実施形態１、２、３、４、５、６、７、８、９、１０または１１の太陽電池。
【０１５３】
例示的な実施形態１３：エミッタ領域がｎ型ドーパントを含み、太陽電池が、更に、基板の背面にｐ型ドーパントの領域を含む、例示的な実施形態１、２、３、４、５、６、７、８、９、１０、１１または１２の太陽電池。
【０１５４】
例示的な実施形態１４：更に、基板の背面にｐ型ドーパントの領域に電気的に接続された導電性コンタクトを含む、例示的な実施形態１３の太陽電池。
【０１５５】
例示的な実施形態１５：導電性コンタクトが、基板の背面上の下部パッシベーションおよびキャッピング層の開口を介して配置されている、例示的な実施形態１４の太陽電池。
【０１５６】
例示的な実施形態１６：太陽電池の製造方法は、基板の受光面において、基板内にエミッタ領域を形成することを含む。本方法はまた、エミッタ領域に溝を形成することも含む。本方法はまた、基板の受光面上および溝内にパッシベーション層を形成して、エミッタ縁部をパッシベーションすることも含む。本方法はまた、基板をクリーブ加工して、太陽電池を形成することであって、太陽電池が、側壁と、太陽電池の側壁から横方向に後退した側壁を有するエミッタ領域とを有する、基板をクリーブ加工することも含む。
【０１５７】
例示的な実施形態１７：基板をクリーブ加工することが、溝内のパッシベーション層を通してクリーブ加工することを含む、例示的な実施形態１６の方法。
【０１５８】
例示的な実施形態１８：基板をクリーブ加工することが、溝に横方向に隣接するエミッタ領域の一部を通してクリーブ加工することを含む、例示的な実施形態１６の方法。
【０１５９】
例示的な実施形態１９：レーザアブレーションを使用して溝が形成される、例示的な実施形態１６、１７または１８の方法。
【０１６０】
例示的な実施形態２０：スクリーン印刷またはインクジェットによって送達されるエッチングペーストを使用して溝が形成される、例示的な実施形態１６、１７または１８の方法。
【図１】
2021520056.tif 000003
【図２Ａ】
2021520056.tif 000004
【図２Ｂ】
2021520056.tif 000005
【図２Ｃ】
2021520056.tif 000006
【図３】
2021520056.tif 000007
【図４】
2021520056.tif 000008
【図５】
2021520056.tif 000009
【図６Ａ】
2021520056.tif 000010
【図６Ｂ】
2021520056.tif 000011
【図６Ｃ】
2021520056.tif 000012
【図６Ｄ】
2021520056.tif 000013
【図６Ｅ】
2021520056.tif 000014
【図７】
2021520056.tif 000015
【図８Ａ】
2021520056.tif 000016
【図８Ｂ】
2021520056.tif 000017
【図８Ｃ】
2021520056.tif 000018
【図８Ｄ】
2021520056.tif 000019
【図８Ｅ】
2021520056.tif 000020
【図８Ｆ】
2021520056.tif 000021
【図８Ｇ】
2021520056.tif 000022
【図８Ｈ】
2021520056.tif 000023
【図８Ｉ】
2021520056.tif 000024
【図９】
2021520056.tif 000025
【図１０Ａ】
2021520056.tif 000026
【図１０Ｂ】
2021520056.tif 000027
【図１０Ｃ】
2021520056.tif 000028
【図１１】
2021520056.tif 000029
【図１２】
2021520056.tif 000030
【図１３】
2021520056.tif 000031
【国際調査報告】
2021520056.tif 000032
2021520056.tif 000033